(57)【要約】【課題】複数のバッテリセルの放熱性を向上できるようにする。【解決手段】蓄電モジュールは、一方向に積層された複数のバッテリセル２と、複数のバッテリセルを収納するバッテリケースと、を備える。バッテリケースは、複数のバッテリセルの積層方向に直交する第一直交方向を軸方向とする筒状に形成され、内部が複数のバッテリセルを収納する収納空間１１とされたケース本体５と、ケース本体の内面に接続されると共に積層方向に間隔をあけて配列され、収納空間を積層方向に並ぶ複数の分割空間１５に区画する複数の区画壁６と、を備える。積層方向における分割空間の長さは、積層方向における収納空間の端から中央に近づくにしたがって小さくなる。【選択図】図５
2020119833.tif 000002
【特許請求の範囲】
【請求項１】
一方向に積層された複数のバッテリセルと、
前記複数のバッテリセルを収納するバッテリケースと、を備え、
前記バッテリケースが、前記複数のバッテリセルの積層方向に直交する第一直交方向を軸方向とする筒状に形成され、内部が前記複数のバッテリセルを収納する収納空間とされたケース本体と、前記ケース本体の内面に接続されると共に前記積層方向に間隔をあけて配列され、前記収納空間を前記積層方向に並ぶ複数の分割空間に区画する複数の区画壁と、を備え、
前記積層方向における前記分割空間の長さが、前記積層方向における前記収納空間の端から中央に近づくにしたがって小さくなる蓄電モジュール。
【請求項２】
前記ケース本体が、前記積層方向に間隔をあけて配された一対の第一側壁、及び、前記積層方向及び前記第一直交方向に直交する第二直交方向に間隔をあけて配された一対の第二側壁を有する矩形の筒状に形成され、
各区画壁は、前記第二直交方向に延びて形成され、
前記第二直交方向における各区画壁の両端が、前記一対の第二側壁に接続されている請求項１に記載の蓄電モジュール。
【請求項３】
前記積層方向において前記ケース本体の外側に向く前記第一側壁の外面は、前記第二直交方向における前記第一側壁の両端から中央に向かうにしたがって前記積層方向において前記ケース本体の外側に向かうように傾斜して形成され、
前記積層方向において前記ケース本体の内側に向く前記第一側壁の内面は、前記積層方向に直交する平坦面に形成されている請求項２に記載の蓄電モジュール。
【請求項４】
前記第二側壁には、前記ケース本体の外側に向く前記第二側壁の外面から突出する突起部が形成され、
前記突起部は、前記第二直交方向において前記区画壁と重なる請求項２又は請求項３に記載の蓄電モジュール。
【請求項５】
前記突起部が、前記第一直交方向に延びる筒状のボス部である請求項４に記載の蓄電モジュール。
【発明の詳細な説明】
【技術分野】
【０００１】
本発明は、蓄電モジュールに関する。
【背景技術】
【０００２】
特許文献１には、複数のバッテリセルを積層したバッテリセルグループを保護ケーシングに収納した蓄電モジュール（バッテリ）が開示されている。具体的に、特許文献１の蓄電モジュールでは、複数のバッテリセルグループを、バッテリセルの積層方向に配列された保護ケーシングの複数の内部ポケットに、それぞれ収納している。バッテリセルの積層方向において隣り合うバッテリセルグループの間には、内部ポケットを画成する保護ケーシングの隔壁が位置する。
【先行技術文献】
【特許文献】
【０００３】
【特許文献１】特表２０１８−５２１４４７号公報
【発明の概要】
【発明が解決しようとする課題】
【０００４】
ところで、一方向に積層された複数のバッテリセルを備える蓄電モジュールでは、各バッテリセルが充放電に伴い発熱する。しかしながら、複数のバッテリセルの積層方向における中央部分やその近傍に位置するバッテリセルにおいて発生した熱は、外部に放散され難い。また、温度上昇したバッテリセルは性能劣化が促進される傾向にあり、温度上昇を均一に抑制することで蓄電モジュールの性能劣化を抑制することが可能となる。
【０００５】
本発明は、上述した事情に鑑みたものであって、積層された複数のバッテリセルの放熱性を向上できる蓄電モジュールを提供することを目的とする。
【課題を解決するための手段】
【０００６】
（１）上記目的を達成するために、本発明の一態様に係る蓄電モジュール（例えば実施形態における蓄電モジュール１）は、一方向に積層された複数のバッテリセル（例えば実施形態におけるバッテリセル２）と、前記複数のバッテリセルを収納するバッテリケース（例えば実施形態におけるバッテリケース３）と、を備え、前記バッテリケースが、前記複数のバッテリセルの積層方向に直交する第一直交方向を軸方向とする筒状に形成され、内部が前記複数のバッテリセルを収納する収納空間（例えば実施形態における収納空間１１）とされたケース本体（例えば実施形態におけるケース本体５）と、前記ケース本体の内面に接続されると共に前記積層方向に間隔をあけて配列され、前記収納空間を前記積層方向に並ぶ複数の分割空間（例えば実施形態における分割空間１５）に区画する複数の区画壁（例えば実施形態における区画壁６）と、を備え、前記積層方向における前記分割空間の長さが、前記積層方向における前記収納空間の端から中央に近づくにしたがって小さくなる。
【０００７】
（２）本発明の一態様においては、前記ケース本体が、前記積層方向に間隔をあけて配された一対の第一側壁（例えば実施形態における第一側壁１２）、及び、前記積層方向及び前記第一直交方向に直交する第二直交方向に間隔をあけて配された一対の第二側壁（例えば実施形態における第二側壁１３）を有する矩形の筒状に形成され、各区画壁は、前記第二直交方向に延びて形成され、前記第二直交方向における各区画壁の両端が、前記一対の第二側壁に接続されてもよい。
【０００８】
（３）本発明の一態様において、前記積層方向において前記ケース本体の外側に向く前記第一側壁の外面（例えば実施形態における第一側壁１２の外面１２ａ）は、前記第二直交方向における前記第一側壁の両端から中央に向かうにしたがって前記積層方向において前記ケース本体の外側に向かうように傾斜して形成され、前記積層方向において前記ケース本体の内側に向く前記第一側壁の内面（例えば実施形態における第一側壁１２の内面１２ｂ）は、前記積層方向に直交する平坦面に形成されてもよい。
【０００９】
（４）本発明の一態様において、前記第二側壁には、前記ケース本体の外側に向く前記第二側壁の外面から突出する突起部（例えば実施形態における突起部１６）が形成され、前記突起部は、前記第二直交方向において前記区画壁と重なってもよい。
【００１０】
（５）本発明の一態様においては、前記突起部が、前記第一直交方向に延びる筒状のボス部（例えば実施形態におけるボス部１６）であってもよい。
【発明の効果】
【００１１】
上記（１）の態様によれば、積層方向における収納空間の中央に位置する分割空間の長さが、収納空間の端に位置する分割空間の長さよりも小さい。すなわち、複数の区画壁が収納空間の中央部分において密に配されている。これにより、収納空間の中央部分に収納されたバッテリセルにおいて生じた熱を、区画壁に効率よく伝え、さらに区画壁からケース本体に効率よく伝えることができる。これにより、中央部分に位置するバッテリセルの熱を、ケース本体の外部に効果的に放散できる。したがって、積層された複数のバッテリセルの放熱性を向上できる。
【００１２】
上記（２）の態様によれば、ケース本体の一対の第二側壁同士を連結する複数の区画壁が、収納空間の中央部分において密に配される。すなわち、中央部分における区画壁同士の間隔が小さい。このため、衝撃や荷重等の外力がケース本体の外側から一方の第二側壁に作用しても、一方の第二側壁が変形する（特に撓み変形する）ことを抑制できる。したがって、一対の第二側壁の強度及び剛性を向上できる。特に、積層方向における各第二側壁の中央部分の強度及び剛性を向上できる。
【００１３】
上記（３）の態様によれば、積層方向における第一側壁の厚さが、第二直交方向における第一側壁の両端から中央に向かうにしたがって厚くなる。このため、衝撃や荷重等の外力がケース本体の外側から第一側壁に作用しても、第一側壁が変形する（特に撓み変形する）ことを抑制できる。
また、上記（３）の態様によれば、充放電や発熱、劣化に伴うバッテリセルの膨張力によって、第一側壁がケース本体の内側から押されても、第一側壁が変形する（特に撓み変形する）ことを抑制できる。
また、上記（３）の態様によれば、積層方向における第一側壁の厚さが、第二直交方向における第一側壁の両端部分において薄くなっているため、第一側壁の変形を抑制しながら第一側壁に使用する材料を減らすことができる。これにより、第一側壁を含む蓄電モジュールの軽量化及び製造コストの削減を図ることができる。
【００１４】
上記（４）の態様によれば、突起部が区画壁と重なる位置に設けられることで、バッテリセルにおいて生じた熱を、区画壁から突起部に効率よく伝えることができる。突起部は、第二側壁の外面から突出しているため、突起部に伝わった熱をケース本体の外部に効果的に放散することができる。
また、上記（４）の態様によれば、第二側壁が対象物（例えば地面）に衝突する際には、突起部が第二側壁よりも先に対象物に接触する。すなわち、第二側壁が対象物に直接当たることを回避できる。また、突起部が区画壁と重なることで、突起部に作用する衝撃や荷重等の外力を区画壁に直接伝えることができる。すなわち、突起部に作用する外力が第二側壁に伝わることを抑制できる。以上のことから、第二側壁が外力によって変形することを抑制できる。
【００１５】
上記（５）の態様によれば、ボス部内にねじを通すことで、ケース本体に部品（例えばケース本体の開口を覆う蓋部）を固定することができる。したがって、ケース本体に部品を固定するためのボス部を、バッテリセルの放熱や第二側壁の変形抑制に有効に活用することができる。
また、上記（５）の態様によれば、ケース本体に部品を固定するためにねじを通すボス部が、ケース本体の外面から突出している。このため、ねじを通す孔を第二側壁に形成する場合と比較して、第二側壁の剛性を確保しながら、第二側壁の厚みを小さく抑えることができる。これにより、第二側壁に使用する材料を減らすことができる。したがって、第二側壁を含む蓄電モジュールの軽量化及び製造コストの削減を図ることができる。
【図面の簡単な説明】
【００１６】
【図１】本発明の一実施形態の蓄電モジュールを第一蓋部側から見た斜視図である。
【図２】本発明の一実施形態の蓄電モジュールを第二蓋部側から見た斜視図である。
【図３】本発明の一実施形態の蓄電モジュールにおいて、一対の蓋部をケース本体から分離した状態を示す分解斜視図である。
【図４】本発明の一実施形態の蓄電モジュールにおいて、複数のバッテリセルをケース本体から取り出した状態を示す分解斜視図である。
【図５】本発明の一実施形態の蓄電モジュールにおいて、ケース本体をその軸方向から見た平面図である。
【図６】図５のVI−VI矢視断面図である。
【発明を実施するための形態】
【００１７】
以下、図１〜６を参照して本発明の一実施形態について説明する。
図１〜３に示すように、本実施形態に係る蓄電モジュール１は、一方向に積層された複数のバッテリセル２と、複数のバッテリセル２を収納するバッテリケース３と、を備える。
図１〜６において、Ｘ軸方向は複数のバッテリセル２の積層方向、Ｚ軸方向は積層方向に直交する第一直交方向、Ｙ軸方向は積層方向及び第一直交方向に直交する第二直交方向を、それぞれ示す。
【００１８】
バッテリセル２の形状は任意であってよい。図４〜６に示すように、本実施形態のバッテリセル２は、積層方向（Ｘ軸方向）を厚さ方向とする板状に形成されている。具体的に、バッテリセル２は、電池要素を一対のフィルムでラミネートしたラミネート型のバッテリセル２である。ラミネート型のバッテリセル２は、充放電時や発熱時、性能劣化時に厚さ方向（積層方向）に膨張することがある。
図４，６に示すように、複数のバッテリセル２は、各バッテリセル２の電極２Ａ，２Ｂが第一直交方向の一方側（Ｚ軸負方向側）に位置するように積層される。複数のバッテリセル２は、不図示のバスバーや回路基板によって電極２Ａ，２Ｂ同士を適宜接続することで、直列又は並列に電気接続される。
【００１９】
図１〜６に示すように、バッテリケース３は、ケース本体５と複数の区画壁６とを備える。また、バッテリケース３は、一対の蓋部７をさらに備える。
図４〜６に示すように、ケース本体５は、第一直交方向（Ｚ軸方向）を軸方向とする筒状に形成されている。ケース本体５の内部は、複数のバッテリセル２を収納する収納空間１１とされている。複数のバッテリセル２は、ケース本体５の軸方向に直交する方向に配列された状態で、収納空間１１に配される。
【００２０】
ケース本体５は、例えば円筒状など任意の筒状に形成されてよい。本実施形態のケース本体５は、一対の第一側壁１２及び一対の第二側壁１３を有する矩形の筒状に形成されている。
一対の第一側壁１２は、複数のバッテリセル２の積層方向（Ｘ軸方向）に間隔をあけて配されている。すなわち、一対の第一側壁１２は、積層方向において収納空間１１に収納された複数のバッテリセル２の両側に位置する。一対の第二側壁１３は、第二直交方向（Ｙ軸方向）に間隔をあけて配されている。
【００２１】
図４，５に示すように、第一側壁１２は、第一、第二直交方向に延び、積層方向を厚さ方向とする板状に形成されている。第一側壁１２は、例えば平板状に形成されてよい。本実施形態の第一側壁１２は、ケース本体５の外側に膨らむように形成されている。
図５に示すように、積層方向においてケース本体５の外側に向く第一側壁１２の外面１２ａは、第二直交方向における第一側壁１２の両端から中央に向かうにしたがって積層方向においてケース本体５の外側に向かうように傾斜して形成されている。具体的に、第一側壁１２の外面１２ａは、第二直交方向における当該外面１２ａの中央が、当該外面１２ａの両端よりも積層方向においてケース本体５の外側に膨出する円弧状に形成されている。一方、積層方向においてケース本体５の内側に向く第一側壁１２の内面１２ｂは、積層方向に直交する平坦面に形成されている。これにより、積層方向における第一側壁１２の厚さは、第二直交方向における第一側壁１２の両端から中央に向かうにしたがって厚くなる。
【００２２】
各第一側壁１２には、第一直交方向に貫通する貫通孔１４が形成されている。貫通孔１４は、各第一側壁１２において、第二直交方向に互いに間隔をあけて複数（図示例では二つ）配列されている。貫通孔１４には、ケース本体５に後述する蓋部７（部品）を固定するためのねじ（不図示）が通る。貫通孔１４の内周には、例えばねじに噛み合う雌ねじが形成されてよい。
貫通孔１４は、第一側壁１２の他の部分と比較して厚さが小さい第一側壁１２の両端を除く領域に形成されるとよい。これにより、貫通孔１４の形成に伴う第一側壁１２の剛性低下を抑制できる。
【００２３】
図４，５に示すように、各第二側壁１３は、積層方向及び第一直交方向に延び、第二直交方向を厚さ方向とする板状に形成されている。本実施形態の第二側壁１３は、平板状に形成されている。すなわち、ケース本体５の外側に向く第二側壁１３の外面１３ａ、及び、ケース本体５の内側に向く第二側壁１３の内面１３ｂは、それぞれ第二直交方向に直交している。
【００２４】
上記した一対の第一側壁１２及び一対の第二側壁１３は、例えば別個に形成された上で互いに固定されてよい。本実施形態において、一対の第一側壁１２及び一対の第二側壁１３は、一体に形成されている。
【００２５】
図４〜６に示すように、複数の区画壁６は、それぞれケース本体５の内面に接続されると共に積層方向（Ｘ軸方向）に間隔をあけて配列される。複数の区画壁６は、ケース本体５の収納空間１１を積層方向に並ぶ複数の分割空間１５に区画する。積層方向における分割空間１５の長さは、複数の区画壁６の配置により、積層方向における収納空間１１の端から中央に近づくにしたがって小さくなっている。すなわち、複数の区画壁６は、収納空間１１の中央に位置する分割空間１５の長さが収納空間１１の端に位置する分割空間１５よりも小さくなるように、配列されている。
これにより、収納空間１１の中央（あるいは中央の近く）に位置する分割空間１５に収納されるバッテリセル２の数は、収納空間１１の端（あるいは端の近く）に位置する分割空間１５に収納されるバッテリセル２の数よりも少なくなる。
【００２６】
本実施形態における区画壁６の数は、三つである。これにより、分割空間１５の数は四つとなっている。
三つの区画壁６には、積層方向における収納空間１１の中央に配された一つの第一区画壁６Ａと、第一区画壁６Ａの両側に配された二つの第二区画壁６Ｂと、がある。図５，６に示すように、第一区画壁６Ａと各第二区画壁６Ｂとの間隔は、各第二区画壁６Ｂと収納空間１１の端をなす第一側壁１２の内面１２ｂとの間隔よりも小さい。これにより、四つの分割空間１５のうち積層方向における収納空間１１の中央に位置する二つの第一分割空間１５Ａの長さが、収納空間１１の両端に位置する二つの第二分割空間１５Ｂの長さよりも小さくなる。二つの第一分割空間１５Ａの長さは、例えば互いに異なってもよいが、本実施形態では互いに等しい。同様に、二つの第二分割空間１５Ｂの長さは、例えば互いに異なってもよいが、本実施形態では互いに等しい。
図示例において、各第一分割空間１５Ａには三つのバッテリセル２が収納され、各第二分割空間１５Ｂには四つのバッテリセル２がそれぞれ収納されているが、これに限ることはない。
【００２７】
図４〜６に示すように、本実施形態の区画壁６は、第一直交方向及び第二直交方向に延び、積層方向を板厚方向とする平板状に形成されている。第二直交方向における各区画壁６の両端は、一対の第二側壁１３に接続されている。
区画壁６は、例えば、ケース本体５と別個に形成された上で、ケース本体５に取り付けられてよい。本実施形態の区画壁６は、ケース本体５に一体に形成されている。
【００２８】
図４，５に示すように、ケース本体５の各第二側壁１３には、第二側壁１３の外面１３ａから突出する突起部１６が形成されている。
突起部１６の形状や配置は任意であってよい。本実施形態において、突起部１６は、第一直交方向における第二側壁１３の一端から他端まで直線状に延びている。また、突起部１６は、積層方向に互いに間隔をあけて複数（図示例では二つ）配列されている。各突起部１６は、積層方向において一対の第一側壁１２の内面１２ｂよりもケース本体５の内側に位置している。
【００２９】
また、突起部１６は、第二直交方向（第二側壁１３の厚さ方向）において区画壁６と重なる。突起部１６は、その一部または全体が区画壁６と重なるように配されてよい。図示例では、積層方向における突起部１６の中心が、積層方向における区画壁６の中心に対して積層方向にずれて位置しているが、これに限ることはない。また、図示例では、突起部１６は、第二区画壁６Ｂと重なるように配されているが、例えば第一区画壁６Ａと重なるように配されてもよい。
【００３０】
本実施形態の突起部１６は、第一直交方向に延びる筒状のボス部１６である。ボス部１６内には、ケース本体５に後述する蓋部７を固定するためのねじ（不図示）が通る。ボス部１６の内周には、例えばねじに噛み合う雌ねじが形成されてよい。
【００３１】
上記したケース本体５及び区画壁６は、アルミニウム等のように熱伝導率の高い材料によって形成されてよい。ケース本体５及び区画壁６は、押し出し成形によって製造することができる。
【００３２】
図１〜３に示すように、一対の蓋部７は、第一直交方向（ケース本体５の軸方向）におけるケース本体５の両端の開口を覆う。一対の蓋部７は、それぞれねじ止め等によってケース本体５に対して着脱可能に設けられる。各蓋部７は、第一直交方向から見てケース本体５に対応する矩形状に形成されている。
【００３３】
一対の蓋部７のうち第一蓋部７Ａには、蓄電モジュール１を持ち運ぶための把持部２１が設けられている。把持部２１は、湾曲した棒状あるいは帯板状に形成され、その両端がケース本体５の外側に向く第一蓋部７Ａの外面に接続されている。蓄電モジュール１が把持部２１を備えることで、蓄電モジュール１を可搬用の蓄電モジュールとして使用することができる。
本実施形態において、把持部２１を含む第一蓋部７Ａは、ケース本体５よりも熱伝導率が低い樹脂によって構成されている。
【００３４】
一対の蓋部７のうち第二蓋部７Ｂには、コネクタ２２及び複数の脚部２３が設けられている。
コネクタ２２は、蓄電モジュール１（複数のバッテリセル２）を外部の機器と電気接続する。コネクタ２２は、ケース本体５の外側に向く第二蓋部７Ｂの外面から突出する。コネクタ２２は、円柱状に形成されると共に、ケース本体５の軸線を中心とする位置に配される。すなわち、コネクタ２２は、軸対称となる形状に形成されると共に、ケース本体５に対して軸対称となる位置に配される。
【００３５】
複数の脚部２３は、コネクタ２２と同様に、第二蓋部７Ｂの外面から突出する。第二蓋部７Ｂの外面に対する脚部２３の突出高さは、コネクタ２２の突出高さよりも大きい。複数の脚部２３は、コネクタ２２を囲むように配列されている。具体的に、複数の脚部２３は、矩形状に形成された第二蓋部７Ｂの外面の四隅に配されている。複数の脚部２３が設けられることで、第二蓋部７Ｂを鉛直方向の下側にして蓄電モジュール１を地面等に載置した状態で、コネクタ２２が地面等に接触することを防止できる。
本実施形態において、脚部２３を含む第二蓋部７Ｂは、第一蓋部７Ａと同様に、ケース本体５よりも熱伝導率が低い樹脂によって構成されている。
【００３６】
図６に示すように、本実施形態のバッテリケース３は、ケース本体５の開口端部１９と蓋部７との隙間を埋めるシール部８をさらに備える。シール部８は、ケース本体５と蓋部７との隙間からケース本体５の内部に水分が侵入することを防ぐ。
図示例におけるシール部８は、開口端部１９におけるケース本体５の内周と、ケース本体５の開口端部１９の内側に挿入される蓋部７の挿入部位の外周との間に設けられる軸シールである。なお、シール部８は、例えば、第一直交方向においてケース本体５の外側に向くケース本体５の端面と、当該端面に対向する蓋部７の対向面との間に設けられる平面シールであってもよい。
【００３７】
以上説明したように、本実施形態の蓄電モジュール１によれば、ケース本体５の収納空間１１が、複数の区画壁６によって複数の分割空間１５に区画されている。また、分割空間１５の長さが、積層方向における収納空間１１の端から中央に近づくにしたがって小さくなっている。すなわち、区画壁６が収納空間１１の中央部分において密に配されている。これにより、第一分割空間１５Ａ（収納空間１１の中央部分）に収納されたバッテリセル２において生じた熱を、区画壁６に効率よく伝え、さらに区画壁６からケース本体５に効率よく伝えることができる。これにより、第一分割空間１５Ａに位置するバッテリセル２の熱を、ケース本体５の外部に効果的に放散できる。したがって、積層された複数のバッテリセル２の放熱性を向上できる。
なお、第二分割空間１５Ｂ（収納空間１１の端）に位置するバッテリセル２の熱は、ケース本体５に直接伝えることができるため、ケース本体５の外部に効果的に放散できる。
【００３８】
また、本実施形態の蓄電モジュール１では、主に、第一分割空間１５Ａに位置するバッテリセル２の熱がケース本体５の第二側壁１３に伝わり、第二分割空間１５Ｂに位置するバッテリセル２の熱がケース本体５の第一側壁１２に伝わる。すなわち、第一分割空間１５Ａに位置するバッテリセル２の熱と、第一分割空間１５Ａに位置するバッテリセル２の熱とを、ケース本体５の互いに異なる部位に伝えることができる。したがって、積層された複数のバッテリセル２の放熱性を効果的に向上できる。
【００３９】
また、本実施形態の蓄電モジュール１によれば、ケース本体５の一対の第二側壁１３同士を連結する区画壁６が、収納空間１１の中央部分において密に配されている。すなわち、中央部分における区画壁６同士の間隔が小さい。このため、衝撃や荷重等の外力がケース本体５の外側から一方の第二側壁１３に作用しても、一方の第二側壁１３が変形する（特に撓み変形する）ことを抑制できる。具体的に説明すれば、衝撃等の外力がケース本体５の外側から一方の第二側壁１３に作用した際には、当該外力が区画壁６を通して他方の第二側壁１３に伝わることで、一方の第二側壁１３の変形（特に撓み変形）を抑制できる。したがって、一対の第二側壁１３の強度及び剛性を向上できる。特に、積層方向における各第二側壁１３の中央部分の強度及び剛性を向上できる。第二側壁１３の変形を抑制できることは、第二側壁１３の変形に伴ってバッテリセル２がケース本体５内で動いたり、変形したりすることで、蓄電モジュール１の機能（充電や放電）に不具合が生じることを抑制できる点で有効である。
【００４０】
また、本実施形態の蓄電モジュール１によれば、積層方向における第一側壁１２の厚さが、第二直交方向における第一側壁１２の両端から中央に向かうにしたがって厚くなる。このため、衝撃や荷重等の外力がケース本体５の外側から第一側壁１２に作用しても、第一側壁１２が変形する（特に撓み変形する）ことを抑制できる。特に、第一側壁１２の外面１２ａがケース本体５の外側に膨出する円弧状に形成されていることで、ケース本体５の外側からの外力によって第一側壁１２が変形することを効果的に抑制できる。
【００４１】
また、充放電や発熱、性能劣化に伴うバッテリセル２の膨張力によって、第一側壁１２がケース本体５の内側から押されても、第一側壁１２が変形する（特に撓み変形する）ことも抑制できる。具体的に説明すれば、ケース本体５の内側からの力が第一側壁１２に作用する場合には、第一側壁１２における曲げモーメントが、第二直交方向における第一側壁１２の中央部分において最も大きくなる。これに対し、本実施形態の蓄電モジュール１では、第二直交方向における第一側壁１２の中央部分を厚く形成することで、第一側壁１２の中央部分の断面二次モーメントが大きくなる。これにより、第一側壁１２の変形（特に撓み変形）を効果的に抑制できる。
【００４２】
また、積層方向における第一側壁１２の厚さが、第二直交方向における第一側壁１２の両端部分において薄くなっていることで、第一側壁１２の変形を抑制しながら第一側壁１２に使用する材料を減らすことができる。これにより、第一側壁１２を含む蓄電モジュール１の軽量化及び製造コストの削減を図ることができる。
【００４３】
また、本実施形態の蓄電モジュール１によれば、第二側壁１３の外面１３ａに形成された突起部１６が、第二直交方向（第二側壁１３の厚さ方向）において区画壁６と重なる。これにより、バッテリセル２において生じた熱を、区画壁６から突起部１６に効率よく伝えることができる。突起部１６は、第二側壁１３の外面１３ａから突出しているため、突起部１６に伝わった熱をケース本体５の外部に効果的に放散することができる。
【００４４】
また、突起部１６が第二側壁１３の外面１３ａから突出していることで、第二側壁１３が対象物（例えば地面）に衝突する際には、突起部１６が第二側壁１３よりも先に対象物に接触する。すなわち、第二側壁１３が対象物に直接当たることを回避できる。また、突起部１６が区画壁６と重なることで、突起部１６に作用する衝撃や荷重等の外力を区画壁６に直接伝えることができる。すなわち、突起部１６に作用する外力が第二側壁１３に伝わることを抑制できる。以上のことから、第二側壁１３が、外力によって変形することを抑制できる。
【００４５】
また、本実施形態の蓄電モジュール１によれば、突起部１６が筒状のボス部１６である。このため、ボス部１６内にねじを通すことで、ケース本体５に蓋部７（部品）を固定することができる。したがって、ケース本体５に蓋部７を固定するためのボス部１６を、バッテリセル２の放熱や第二側壁１３の変形抑制に有効に活用することができる。
また、ケース本体５に蓋部７を固定するためにねじを通すボス部１６が、ケース本体５の外面から突出している。このため、ねじを通す孔を第二側壁１３に形成する場合と比較して、第二側壁１３の剛性を確保しながら、第二側壁１３の厚みを小さく抑えることができる。これにより、第二側壁１３に使用する材料を減らすことができる。したがって、第二側壁１３を含む蓄電モジュール１の軽量化及び製造コストの削減を図ることができる。
【００４６】
また、本実施形態の蓄電モジュール１によれば、ケース本体５を構成する四つの壁部（一対の第一側壁１２及び一対の第二側壁１３）が一体に形成されている。この構成では、四つの壁部の境界に継ぎ目がないため、ケース本体５の内部に対する水分の侵入箇所を減らすことができる。すなわち、ケース本体５の内部への水分の侵入を防ぐために継ぎ目を塞ぐシール部の数を減らして、バッテリケース３のシール構造の簡素化を図ることができる。
【００４７】
また、本実施形態の蓄電モジュール１によれば、ケース本体５を構成する四つの壁部が一体に形成されていることで、ケース本体５の剛性を向上できる。これにより、衝撃や荷重等の外力がケース本体５の外側からケース本体５の壁部に作用したり、バッテリセル２の膨張に伴ってケース本体５の壁部がケース本体５の内側から押されたりしても、これら壁部が変形することを抑制できる。特に、ケース本体５の開口端部１９の変形に伴ってケース本体５と蓋部７との間に隙間が生じる（シール部８が機能しない状態が生じる）ことを効果的に抑制できる。すなわち、バッテリケース３のシール性が損なわれることを効果的に抑制できる。
【００４８】
また、本実施形態の蓄電モジュール１によれば、樹脂からなる把持部２１や脚部２３などの構造物は、蓋部７に設けられている。これにより、樹脂製の構造物がケース本体５の外面に設けられないため、当該構造物によってバッテリセル２の放熱性が低下することを防止できる。
【００４９】
以上、本発明の詳細について説明したが、本発明は上述した実施形態に限定されるものではなく、本発明の趣旨を逸脱しない範囲において種々の変更を加えることができる。
【００５０】
本発明の蓄電モジュールにおいて、区画壁６の数は、例えば二つや四つ以上であってもよい。区画壁６の数が二つである場合には、分割空間１５の数が三つとなり、二つの区画壁６の配置により、収納空間１１の中央に位置する一つの分割空間１５の長さが、収納空間１１の両端に位置する二つの分割空間１５の長さよりも小さくなる。例えば、三つの分割空間１５のうち中央の一つの分割空間１５には二つのバッテリセル２が収納され、両端の二つの分割空間１５には五つのバッテリセル２が収納されてよい。
【符号の説明】
【００５１】
１  蓄電モジュール
２  バッテリセル
３  バッテリケース
５  ケース本体
６  区画壁
７  蓋部
１１  収納空間
１２  第一側壁
１２ａ  第一側壁１２の外面
１２ｂ  第一側壁１２の内面
１３  第二側壁
１３ａ  第二側壁１３の外面
１３ｂ  第二側壁１３の内面
１５  分割空間
１６  突起部、ボス部
２１  把持部
２２  コネクタ
２３  脚部
【図１】
2020119833.tif 000003
【図２】
2020119833.tif 000004
【図３】
2020119833.tif 000005
【図４】
2020119833.tif 000006
【図５】
2020119833.tif 000007
【図６】
2020119833.tif 000008